(57)【要約】【課題】  パチンコ機の交換を行うにあたってコストダウンを図りながらも、遊技機のイメージを一新させることができる。【解決手段】  遊技場に設置されたパチンコ機１０の交換を行うには、遊技盤１２及びガラス枠１３を本体ユニット１１から取り外す。本体ユニット１１は遊技場に据え付けたままにする。新たなパチンコ機に対応したデザインが施されたガラス枠１３に、新たなパチンコ機に対応したデザインが施された遊技盤１２を取り付ける。遊技盤１２の取り付けの際には遊技盤固定部材を取り付け位置から固定位置にセットして遊技盤１２を固定する。遊技盤１２が一体化されたガラス枠１３を本体ユニット１１に取り付ける。ガラス枠１３の取り付けの際にはガラス枠固定部材３１を取り付け位置から固定位置にセットしてガラス枠１３を固定する。【選択図】        図４
2005021650.tif 000002
【特許請求の範囲】
【請求項１】
遊技に基づいて作動する作動装置を作動制御する制御装置を取付可能な本体ユニットと、前記本体ユニットの前面側に取り付けられ、本体ユニットの前面側の少なくとも遊技領域を覆うガラス枠とを備えた遊技機であって、前記ガラス枠を本体ユニットに対して着脱自在に取り付けたことを特徴とする遊技機。
【請求項２】
遊技者にゲーム上の特典を付与するための入賞口が少なくとも設けられた遊技領域を有する遊技盤を、ガラス扉及びガラス扉受け部を設けたガラス枠に前記遊技領域が可視可能となるように着脱自在に取り付けたことを特徴とする請求項１記載の遊技機。
【請求項３】
前記ガラス扉は、ガラス扉受け部に着脱自在に取り付けられていることを特徴とする請求項１又は２記載の遊技機。
【請求項４】
前記遊技領域を画定し、前記遊技領域に打ち出される遊技媒体を遊技領域内にガイドする遊技領域画定部材と、前記制御装置を支持する支持部材を有する制御装置ユニットとの間で前記遊技盤が狭持されていることを特徴とする請求項１〜３のいずれかに記載の遊技機。
【請求項５】
前記本体ユニットに対してガラス枠を取り付ける場合及び前記ガラス枠に対して遊技盤を取り付ける場合の少なくともいずれか一方の場合に、相対する部材の少なくとも一部の係合部に位置決め案内保持部材を設け、該位置決め案内保持部材による係合を介して、前記本体ユニットにガラス枠又は前記ガラス枠に対して遊技盤を取り付けることを特徴とする請求項１〜４のいずれかに記載の遊技機。
【請求項６】
前記制御装置に用いられる情報が格納された情報記憶媒体を、少なくとも前記ガラス枠を含む前記本体ユニットから交換な部品に設けたことを特徴とする請求項１〜５のいずれかに記載の遊技機。
【発明の詳細な説明】
【技術分野】
【０００１】
本発明は、遊技場に設置して使用されるパチンコ機などの遊技機に関するものである。
【背景技術】
【０００２】
遊技機の一つであるパチンコ機はパチンコ店などの遊技場に設置されている。一般にパチンコ機を含む遊技機は、遊技に基づいて作動する装置を遊技状態に応じて作動制御する制御装置などが設けられた本体ユニット、本体ユニットの前面側に取り付けられ、遊技者にゲーム上の特典を付与するための入賞口が前面側の遊技領域に少なくとも設けられた遊技盤、本体ユニットの前面側に開閉自在に取り付けられ、本体ユニットの前面側の少なくとも遊技領域を覆うガラス枠が設けられている。遊技盤に設けられた遊技領域はガラス枠によって可視可能なように覆われており、外部から遊技盤に触れることができないようになっている。遊技性の異なる遊技機の機種の入れ替えが少なくとも行われる際には、遊技場で新たな機種の遊技機と設置中の古い機種の遊技機とが前記本体ユニットごと全て交換される。
【発明の開示】
【発明が解決しようとする課題】
【０００３】
しかしながら、遊技機は機種に関わらず多くの共通部品が使用されているため、前記本体ユニットごと全て交換してしまうと、共通部品をリユースできなくなり、遊技機の交換に伴うコストが高くなってしまうという欠点があった。このため、例えば機種の入れ替えや破損や故障などによって、遊技機の交換を行うにあたって共通部品を遊技場に据え置きとし、変更となる新たな部品のみを交換することが可能なパチンコ機を提供することが検討されている。
【０００４】
この場合、例えば遊技盤を新たな遊技機に対応した遊技盤に交換するとともに、制御装置を新たな遊技機に対応した制御装置に交換するという遊技性に関する部分のみを取り替える方法が考えられる。しかし、遊技盤又は制御装置を交換しても遊技領域の前面側に配置されるガラス枠などの部品の交換を行わない場合には、新たな遊技機のイメージが外観からは遊技者に伝わりにくいという欠点があった。
【０００５】
本発明は、上記課題を解決するためになされたもので、機種の入れ替えや破損や故障などによって遊技機の交換を行うにあたって、状況に応じたコストダウンを図り、且つ、遊技機の外観イメージを一新させることができるようにした遊技機を提供することを目的とする。
【課題を解決するための手段】
【０００６】
上記目的を達成するために、本発明の遊技機は、遊技に基づいて作動する作動装置を作動制御する制御装置を取付可能な本体ユニットと、前記本体ユニットの前面側に取り付けられ、本体ユニットの前面側の少なくとも遊技領域を覆うガラス枠とを備えた遊技機であって、前記ガラス枠を本体ユニットに対して着脱自在に取り付けたものである。
【０００７】
なお、遊技者にゲーム上の特典を付与するための入賞口が少なくとも設けられた遊技領域を有する遊技盤を、ガラス扉及びガラス扉受け部を設けたガラス枠に前記遊技領域が可視可能となるように着脱自在に取り付けることが好ましい。
【０００８】
また、前記ガラス扉は、ガラス扉受け部に着脱自在に取り付けられていることが好ましい。
【０００９】
また、前記遊技領域を画定し、前記遊技領域に打ち出される遊技媒体を遊技領域内にガイドする遊技領域画定部材と、前記制御装置を支持する支持部材を有する制御装置ユニットとの間で前記遊技盤が狭持されていることが好ましい。
【００１０】
また、前記本体ユニットに対してガラス枠を取り付ける場合及び前記ガラス枠に対して遊技盤を取り付ける場合の少なくともいずれか一方の場合に、相対する部材の少なくとも一部の係合部に位置決め案内保持部材を設け、該位置決め案内保持部材による係合を介して、前記本体ユニットにガラス枠又は前記ガラス枠に対して遊技盤を取り付けることが好ましい。
【００１１】
また、前記制御装置に用いられる情報が格納された情報記憶媒体を、少なくとも前記ガラス枠を含む前記本体ユニットから交換な部品に設けることが好ましい。
【発明の効果】
【００１２】
以上のように、本発明の遊技機によれば、ガラス枠を本体ユニットに対して着脱自在に取り付けたので、例えば機種の入れ替えや破損や故障などによって、パチンコ機の交換を行うにあたってコストダウンを図りながらも、状況に応じて遊技機のイメージを一新させることができる。
【００１３】
また、遊技者にゲーム上の特典を付与するための入賞口が少なくとも設けられた遊技領域を有する遊技盤を、ガラス扉及びガラス扉受け部を設けたガラス枠に前記遊技領域が可視可能となるように着脱自在に取り付けたので、遊技盤のみを交換することも可能になり、ガラス枠を交換しないで機種の入れ替えを行う場合にも対応できる。
【００１４】
また、前記ガラス扉は、ガラス扉受け部に着脱自在に取り付けられているのでガラス扉をガラス扉受け部から取り外すことによって、ガラス扉及びガラス扉受け部をリサイクルすることができる。
【００１５】
前記遊技領域を画定し、前記遊技領域に打ち出される遊技媒体を遊技領域内にガイドする遊技領域画定部材と、前記制御装置を支持する支持部材を有する制御装置ユニットとの間で前記遊技盤が狭持されているので、遊技領域画定部材、制御装置ユニット、遊技盤をそれぞれ分解することが可能になり、各部材をリサイクルすることができる。
【００１６】
また、前記本体ユニットに対してガラス枠を取り付ける場合及び前記ガラス枠に対して遊技盤を取り付ける場合の少なくともいずれか一方の場合に、相対する部材の少なくとも一部の係合部に位置決め案内保持部材を設け、該位置決め案内保持部材による係合を介して、前記本体ユニットにガラス枠又は前記ガラス枠に対して遊技盤を取り付けるので、ガラス枠を本体ユニットに対して容易に位置決めすることが可能になり、機種の入れ替えに伴う作業を効率良く行うことができる。
【００１７】
また、前記制御装置に用いられる情報が格納された情報記憶媒体を、少なくとも前記ガラス枠を含む前記本体ユニットから交換な部品に設けたので、前記情報記憶媒体に新たな機種の作動装置を作動制御するためのプログラムを格納すれば、制御装置を据え置きとすることができるので、従来に比べて機種交換の際に発生するコストを削減することができる。
【発明を実施するための最良の形態】
【００１８】
図１及び図２に示す本実施例である遊技機のパチンコ機１０は、略矩形状外枠の内部に遊技に基づいて作動する作動装置及び制御装置を取付可能な構造からなり、略矩形状外枠に軸支されている本体ユニット１１、遊技盤１２、ガラス枠１３から構成されている。遊技盤１２の前面側の遊技領域には、図柄表示装置１４、始動口１５、通常入賞口１６、通過入賞口１７、アタッカ１８などの所定入賞口及びアウト口１９が設けられている。また、図示は省略してあるが、遊技盤１２の遊技領域にはその他複数の障害釘や風車などが適宜箇所に設けられている。
【００１９】
本体ユニット１１には、パチンコ球発射装置、賞球払い出し装置、電源回路、ランプ、スピーカーなどの異機種でも使用できる共通部品が設けられている。また、本体ユニット１１の裏側の支持部材１１ｅには、図柄表示装置１４の表示制御、ランプの点灯制御、スピーカーから出力される音声制御などを行うサブ制御基盤（制御装置）１１ａ及び機種に応じたゲームを実行処理させるメイン制御基盤（制御装置）１１ｂが設けられている。なお、サブ制御基板１１ａは、メイン制御基板１１ｂの実行処理に基づいて、図柄表示装置１４の表示制御やスピーカーから出力される音声制御を行う。
【００２０】
遊技盤１２の背面にはメモリ（情報記憶媒体）１２ａが設けられており、サブ制御基盤１１ａ及びメイン制御基盤１１ｂのＣＰＵ（中央演算装置）は遊技盤１２に設けられたメモリ１２ａからプログラムを読み出してゲームを実行する。なお、サブ制御基盤１１ａ及びメイン制御基盤１１ｂとメモリ１２ａの接続方法は公知であるコネクタ及び読み出し装置による接続など適宜の方法でよい。また、メモリ１２ａからプログラムを読み出すＣＰＵは、サブ制御基盤１１ａ及びメイン制御基盤１１ｂの少なくともいずれか一方にのみ設けてもよく、設けるＣＰＵは読み取り専用のＣＰＵでもよい。
【００２１】
操作ハンドルＨを操作し、パチンコ球発射装置によってパチンコ球が発射されると、発射されたパチンコ球は、遊技盤１２に設けられた遊技媒体誘導用レール１２ｃに沿って遊技領域に打ち出される。遊技領域に打ち出されたパチンコ球は、始動口１５、通常入賞口１６、通過入賞口１７、アウト口１９のいずれかに入る。遊技盤１２の背面には遊技媒体誘導部材１２ｂが設けられている。遊技媒体誘導部材１２ｂ内には、複数のリブが設けられており、前記リブと遊技盤１２との隙間が球通路となっている。上記の各入賞口に入賞したパチンコ球は球通路を通って所定箇所に誘導される。始動口１５にパチンコ球が入ったときには、メイン制御基板１１ｂのＣＰＵが抽選を行い、この抽選結果に基づいて図柄表示装置１４が作動され、表示されている図柄の可変表示が所定時間行われて当たり判定表示や表示演出又は音声やランプなどの処理が行われる。そして、図柄の可変表示が停止されたときに入賞有効位置上に所定の図柄の組み合わせ（当たり判定表示）が得られると当たりとなり、遊技者にとって通常よりも有利となる遊技状態へと所定期間内移行される。
【００２２】
当たりが得られるときに生じる有利な遊技状態とは例えば、メイン制御基板１１ｂのＣＰＵによって制御され、開閉自在な扉部材を備えたアタッカ１８を１回につき所定時間又はパチンコ球が所定個数入賞するまで閉口状態から開口状態にし、これが所定回数繰り返される。始動口１５、通常入賞口１６又はアタッカ１８にパチンコ球が入賞すると所定個数の景品球となる賞球払い出しが行われる。始動口１５、通常入賞口１６又はアタッカ１８にパチンコ球が入賞しなかった場合は、未入賞のパチンコ球としてアウト口１９に入ってハズレ球として回収される。前記景品球は払い出し口２０から受皿２１に所定入賞口毎の入賞に応じて払い出される。
【００２３】
ガラス枠１３は、遊技盤１２の前面側に配設される遊技領域を透視可能とした窓部となるガラス扉１３ａと、前記窓部を支持して備える窓受け部となるガラス扉受け部１３ｂとから構成されている。ガラス扉１３ａは、ヒンジ２２を介してガラス扉受け部１３ｂに取り付けられている。このため、ガラス扉１３ａをヒンジ２２を中心に回転させると、ガラス扉受け部１３ｂの前面１３ｃを開閉することが可能になる。なお、ガラス扉受け部１３ｂの材質として、「アルミニウム」、「炭素鋼」、「強化繊維プラスチック（ＦＲＰ）」などを用いることが好ましい。これにより、ガラス扉受け部１３ｂの剛性が小さくなることを防ぎながら、ガラス扉受け部１３ｂの軽量化を図ることができる。
【００２４】
ガラス扉１３ａは、扉枠１３ｄとガラス（透光性を有する部材）２３とから構成されている。扉枠１３ｄの中央部にはガラス２３と略同形状でガラス２３よりも一回り大きい開口１３ｅが形成されている。開口１３ｅにはガラス２３が嵌め込まれている。扉枠１３ｄには、ガラス２３が軸部Ｊを中心に回転自在になるように取り付けられている。また、扉枠１３ｄの軸部Ｊと反対側の端部には、ガラス係止部材１３ｆが上下２カ所に設けられている。ガラス係止部材１３ｆは回転自在となるように取り付けられており、ガラス２３が開口１３ｅに嵌め込まれた状態でガラス係止部材１３ｆを回転させると、ガラス係止部材１３ｆがガラス２３に係止し、ガラス２３が回転不能となる。ガラス係止部材１３ｆによる係止を解除し、ガラス２３を軸部Ｊを中心に回転させると、ガラス２３を扉枠１３ｄから離脱することが可能になる。
【００２５】
図３及び図４に示すように、遊技盤１２はガラス枠１３の遊技盤取付部１３ｇに着脱自在に交換可能となるように取り付けられており、ガラス枠１３は本体ユニット１１のガラス枠取付部１１ｃに着脱自在に交換可能となるように取り付けられている。本体ユニット１１の上下端部にはガラス枠１３を着脱自在とするためのガラス枠固定部材３１が設けられている。ガラス枠１３の遊技盤取付部１３ｇ内の上下端部には、遊技盤１２を着脱自在とするための遊技盤固定部材（固定部材）３０及びガラス枠固定部材３１を係合させるための固定部材取付孔３２ｂが形成されている。なお、後述する遊技盤固定部材３０とガラス枠固定部材（固定部材）３１は回動可能な回動長手部材が設けられている。また、遊技盤１２の上下端部には固定部材取付孔３２ａが形成されている。固定部材取付孔３２ａは遊技盤固定部材３０とガラス枠固定部材３１とを係合させることのできる位置に設けられている。
【００２６】
遊技盤固定部材３０及びガラス枠固定部材３１は同じ構造の部材であるため、遊技盤固定部材３０を例に説明する。図５に示すように、遊技盤固定部材３０は遊技盤１２に設けられており、係止部３０ａと軸３０ｂとを備えている。係止部３０ａは軸３０ｂを中心に回転自在に軸支されて取り付けられており、遊技盤１２が取り付けられていない状態では図に示すように長手方向が垂直に向けられた取り外し位置にセットされている。固定部材取付孔３２ａは、係止部３０ａが挿通可能な大きさに遊技盤１２に形成されている。係止部３０ａを固定部材取付孔３２ａに挿通させると、固定部材取付孔３２ａが遊技盤１２に係合可能となる。遊技盤１２がガラス枠１３に取り付けられると、遊技盤固定部材３０の係止部３０ａが固定部材取付孔３２ａに挿通され、回転自在となるように突出する。
【００２７】
図６に示すように、係止部３０ａが固定部材取付孔３２ａから突出した状態でその長手方向が水平となるように９０度回転されると、係止部３０ａは、遊技盤１２の取り外しが不能になる固定位置にセットされる。係止部３０ａの固定位置への回動によって、係止部３０ａが固定部材取付孔３２ａを通過不能となり、遊技盤１２に係止する。これにより、遊技盤１２がガラス枠１３に固定される。なお、ガラス枠１３も遊技盤１２と同様の固定方法でガラス枠固定部材３１の係止部３１ａと固定部材取り付け孔３２ｂとにより係合され、本体ユニット１１に着脱自在に交換可能となるように固定される。
【００２８】
図７及び図８に示すように、本体ユニット１１のガラス枠取付部１１ｃ内には、係合突起（位置決め案内保持部材）１１ｄが形成されており、ガラス枠１３の端部には係合突起受け部（位置決め案内保持部材）１３ｈがガラス扉受け部１３ｂと一体となるように形成されている。係合突起受け部１３ｈは係合突起１１ｄと嵌合することで係合可能な形状に形成されており、本体ユニット１１にガラス枠１３が取り付けられた状態では、係合突起１１ｄが係合突起受け部１３ｈに嵌合して係合した状態となる。
【００２９】
また、ガラス枠１３の遊技盤取付部１３ｇ内には遊技盤保持部材（位置決め案内保持部材）４０が設けられている。遊技盤保持部材４０は、弾性を有する板を屈曲させることで形成されており、一端側に押圧部４０ａが設けられている。押圧部４０ａは遊技盤１１の背面に当接して遊技盤１１を背面側から前面側へ押圧する。これにより、遊技盤１１はガラス枠１３内の遊技盤受け部４０ｂに押さえつけられ、遊技盤保持部材４０の押圧部４０ａと遊技盤受け部４０ｂとによって狭持されて固定される。
【００３０】
次に、上記のように構成された本実施形態における遊技機（パチンコ機１０）の作用について説明する。例えば機種の入れ替えや破損や故障などによって、遊技場に設置されたパチンコ機１０の交換を行うには、ガラス枠固定部材３１を図５に示す状態となるようにする取り外し位置にセットし、遊技盤１２が係止されているガラス枠１３を本体ユニット１１のガラス枠取付部１１ｃから取り外す。本体ユニット１１は遊技場に据え付けたままにしておく。
【００３１】
新たなパチンコ機に対応したデザインが施されたガラス枠１３に、新たな機種に対応したデザイン（遊技領域に設けられた新たな部材などを含む）が施された遊技盤１２を取り付ける。したがって、ガラス枠１３と遊技盤１２とのデザインの統一化を図ることができる。遊技盤１２の取り付けの際には固定部材取り付け孔３２ａに挿通させた遊技盤固定部材３０の係止部３０ａを図５に示す取り付け位置から図６に示す固定位置に回動させて係止させ、遊技盤１２を交換可能に固定する。
【００３２】
ガラス枠１３が取り外されたガラス枠取付部１１ｃに対して、遊技盤１２と一体化された新たなガラス枠１３を固定することによって本体ユニット１１に取り付ける。ガラス枠１３の取り付けの際には固定部材取り付け孔３２ｂに挿通させたガラス枠固定部材３１の係止部３１ａを取り付け位置から固定位置にセットして係止させ、ガラス枠１３を固定するとパチンコ機の交換が完了となり、遊技盤１２及びガラス枠１３を新たなパチンコ機に対応させることができる。このように、遊技盤１２とガラス枠１３を交換するだけで新たなデザイン又は遊技性の少なくとも一方を備えたパチンコ機となるように交換できるので、パチンコ機の交換を行うにあたってパチンコ機１０全体を交換する必要がなくなり、コストダウンを図ることができる。また、パチンコ機の交換の際に遊技盤１２に加えてガラス枠１３を交換することにより、パチンコ機１０のガラス枠１３のデザインも一新させることができる。これにより、パチンコ機１０の外観のイメージを変更して、遊技者に新しいパチンコ機のイメージを充分に伝えることができる。また、遊技盤１２とガラス枠１３のデザインに統一感を持たせることができるので、審美性の高い外観とすることができる。
【００３３】
なお、上記実施形態では、ガラス枠１３と遊技盤１２とを固定部材により着脱自在に一体化させてから、遊技盤１２と一体化されたガラス枠１３を本体ユニット１１に着脱自在に取り付けるようにしたが、図９に示すように、先ず、遊技盤１２を着脱自在に固定していないガラス枠１３をガラス枠取付部１１ｃにて着脱自在に固定させて本体ユニット１１に取り付け、この後、図１０〜図１２に示すように、遊技盤１２をガラス枠１３の遊技盤取付部１３ｇにて着脱自在に固定させて取り付けるようにしてもよい。
【００３４】
上記実施形態では、本体ユニット１１の上部に設けられたガラス枠取付部１１ｃに対してガラス枠１３を固定部材を用いて着脱自在に交換可能となるように取り付けたが、受皿２１が設けられた本体ユニット１１下部を含めて着脱自在に交換可能となるように取り付けてもよい。これにより、本体ユニット１１の前面を全て一新することが可能になる。
【００３５】
上記実施形態では、遊技盤固定部材３０及びガラス枠固定部材３１により遊技盤１２及びガラス枠１３を固定したが、遊技盤１２及びガラス枠１３は適宜手段によって、着脱自在に交換可能となるように固定してよい。
【００３６】
上記実施形態では、ユニット本体１１にサブ制御基盤１１ａ及びメイン制御基盤１１ｂを設けたが遊技盤１２にサブ制御基盤１１ａ又はメイン制御基盤１１ｂの少なくともいずれか一方を設けてもよい。
【００３７】
また、遊技盤１２にメモリ１２ａを設けたが、メモリはガラス枠１３に設けてもよい。さらには、例えばメモリ、メイン制御基盤又はサブ制御基盤の少なくともいずれか一方の演算処理を行うＣＰＵが実装された基盤を遊技盤１２又はガラス枠１３に設け、前記メイン制御基盤又はサブ制御基盤をユニット本体１１の少なくともいずれか一方に設け、遊技盤１２又はガラス枠１３のＣＰＵで、本体ユニットのメイン制御基盤及びサブ制御基盤の少なくともいずれか一方を作動制御するなど、遊技に基づいて作動する作動装置を作動制御する制御装置、制御装置に実行処理を行わせるための演算処理を行うＣＰＵ、メモリ（ＲＯＭやＲＡＭなど）は適宜に組み合わせて本体ユニット１１、遊技盤１２、ガラス枠１３に設けてよい。
【００３８】
遊技盤１２に制御装置、ＣＰＵ、メモリの少なくともいずれかを設ける場合、例えば、遊技媒体誘導部材（遊技媒体誘導用リブなど）１２ｂ、支持部材１１ｅ、図柄表示装置１４、遊技媒体誘導用レール１２ｃなどに取り付ければよい。
【００３９】
ここで、第２の実施形態として図１３に示すように、遊技に基づいて作動する作動装置を作動制御する制御装置に用いられるプログラムが格納されたメモリをガラス枠１３に設けたパチンコ機の実施形態について説明する。
【００４０】
本実施形態のパチンコ機では、サブ制御基盤１１ａ及びメイン制御基盤１１ｂで用いられるプログラムが格納されたＲＯＭ５０をＲＯＭ基盤５１に取り付けている。そして、ＲＯＭ５０が一体化されたＲＯＭ基盤５１をガラス枠１３のガラス扉受け部１３ｂの背面に取り付ける。さらに、ガラス扉受け部１３ｂの背面でＲＯＭ基盤５１の近傍にコネクタ５２を取り付け、ＲＯＭ基盤５１とコネクタ５２とを接続する。
【００４１】
ユニット本体１１には、コネクタ５２と嵌合可能なコネクタ５３を取り付け、コネクタ５２及びコネクタ５３を介してサブ制御基盤１１ａ及びメイン制御基盤１１ｂとＲＯＭ５０とが電気的に接続され、この間での情報の伝達が可能になるようにする。遊技盤１２が一体化されたガラス枠１３がユニット本体１１に着脱自在に取り付けられるとコネクタ５２とコネクタ５３とが嵌合して、ＲＯＭ５０に格納されたプログラムをサブ制御基盤１１ａ及びメイン制御基盤１１ｂのＣＰＵが読み出し、前記作動装置が作動制御される。
【００４２】
第２の実施形態のパチンコ機では、ＲＯＭ５０に新たな機種の作動装置を作動制御するためのプログラムを格納すれば、サブ制御基盤１１ａ及びメイン制御基盤１１ｂを据え置きとすることができるので、従来に比べて機種交換の際に発生するコストを削減することができる。
【００４３】
なお、ＲＯＭ５０とＲＯＭ基盤５１とをガラス枠１３に取り付ける代わりに、着脱自在なＲＯＭカセット６０をガラス枠１３のガラス扉受け部１３ｂ又は遊技盤１２の背面に取り付けてもよい。
【００４４】
ここで、第３の実施形態として、図１５に示すようなＲＯＭカセット６０をガラス枠１３のガラス扉受け部１３ｂに取り付けたパチンコ機の実施形態について説明する。ＲＯＭカセット６０はカセット本体６０ａ、取り付け爪６０ｂ、コネクタ６０ｅから構成され、ＲＯＭカセット６０には前述したＲＯＭ５０が組み込まれている。カセット本体６０ａにはサブ制御基盤１１ａ及びメイン制御基盤１１ｂで用いられるプログラムが格納されている。ガラス枠１３のガラス扉受け部１３ｂの背面にカセット取付部６１を形成する。カセット取付部６１は内部が中空の箱形で、ガラス扉受け部１３ｂの前面側に向かって突出するように形成されており、ガラス扉受け部１３ｂの背面にはカセット取り付け口６１ａが形成されている。
【００４５】
カセット取り付け口６１ａには、ＲＯＭカセット６０が、コネクタ６０ｅとは反対側の後端から挿入される。取り付け爪６０ｂは、ＲＯＭカセット６０の外周面のうちの一面から突出して設けられるとともに、ＲＯＭカセット６０の後端に向かって突出するように屈曲され、図中に一点鎖線で示す矢印の方向に撓むことが可能となるように形成されている。取り付け爪６０ｂは、略三角形状に形成されており、取り付け爪６０ｂをカセット取付部６１内にガイドする傾斜部６０ｃ、カセット取付部６１の内壁面のうちの一面に係合する係止部６０ｄが設けられている。コネクタ６０ｅはユニット本体１１に設けられたコネクタ６２に嵌合可能となっている。コネクタ６０ｅとコネクタ６２とは、ＲＯＭカセット６０のＲＯＭ５０からサブ制御基盤１１ａ及びメイン制御基盤１１ｂへの情報を伝達することが可能になるように接続されている。
【００４６】
ＲＯＭカセット６０を取り付ける場合には、カセット取り付け口６１ａからＲＯＭカセット６０をカセット取付部６１内に挿入する。このとき、取り付け爪６０ｂの傾斜部６０ｃがカセット取り付け口６１ａの内壁に接触し、取り付け爪６０ｂが撓んだ状態でＲＯＭカセット６０が挿入される。傾斜部６０ｃがカセット取付部６１内に挿入されると、取り付け爪６０ｂの撓みが解除され、係止部６０ｄがカセット取付部６１の内壁面のうちの一面に係止して、ＲＯＭカセット６０がカセット取付部６１から離脱することが防止される。これによって、取り付け爪６０ｂを破損させない限りは、ＲＯＭカセット６０を取り外すことが不能になる。ＲＯＭカセット６０が取り付けられたガラス枠１３をユニット本体１１に取り付けると、コネクタ６０ｅがコネクタ６２に嵌合して電気的に接続され、ＲＯＭカセット６０内に格納されたプログラム（記憶情報）がサブ制御基盤１１ａ及びメイン制御基盤１１ｂのＣＰＵによって転送することができるようになる。
【００４７】
上記実施形態では、ガラス扉１３ａとガラス扉受け部１３ｂとを一体にしたが、ガラス扉をガラス扉受け部に対して着脱自在としてもよい。この場合、例えば図１５に示すようなガラス枠７０によって実現可能となる。
【００４８】
ガラス枠７０は、ガラス扉７１とガラス扉受け部７２とから構成されている。ガラス扉７１の底面端部には円形の開口７１ａが穿設されており、ガラス扉受け部７２の内壁の底面端部には軸７２ａが穿設されている。開口７１ａは軸７２ａの直径よりも一回り大きく形成されており、軸７２ａは開口７１ａに嵌め込まれてガラス扉７１を貫通する。ガラス扉７１の内壁の側面上方にはヒンジ装置７３が設けられている。
【００４９】
図１６及び図１７に示すように、ヒンジ装置７３は本体７４、軸７５、バネ７６から構成されている。本体７４は略コの字状に折り曲げられており、ビス７７によってガラス扉７１の内壁面に取り付けられている。本体７４が折り曲げられた一対の折り曲げ部分には軸７５を挿通するための開口７１ｂが形成されている。軸７５は略Ｌ字状に折り曲げることによって形成されており、挿通部７５ａと係止部７５ｂとから構成されている。挿通部７５ａは本体７４の折り曲げ部分に形成された開口７４ａに挿通されている。バネ７６は、挿通部７５ａが本体７４の一方の折り曲げ部分の開口７４ａに挿通された後に挿通部７５ａに嵌め込まれる。挿通部７５ａにバネ７６が取り付けられた後、挿通部７５ａには図示しない溝にＣ形のフランジ７５ｃが取り付けられる。これにより、フランジ７５ｃにバネ７６が当接し、軸７５を下方に移動させるとフランジ７５ｃとともに軸７５は上方に付勢される。軸７５ｃが上方に付勢されると、挿通部７５ａの先端７５ｄが開口７１ｂから突出するとともに、係止部７５ｂが本体７４に係止する。ガラス扉受け部７２の上面で軸７２ａと対向する位置には開口７２ｂが穿設されている。開口７２ｂは挿通部７５ａが挿通可能な大きさに穿設されている。
【００５０】
ガラス扉７１をガラス扉受け部７２に取り付けるには、先ず、開口７１ａを軸７２ａに嵌装させる。この後、軸７５の係止部７５ｂを下方（図１６の矢印の方向）に引っ張りながら、挿通部７５ａが開口７２ｂと同軸心となって挿通可能となるように、ガラス扉７１をガラス扉受け部７２に対して位置決めする。位置決めが完了した後、係止部７５ｂの引っ張りを解除してバネ７６の付勢力によって本体７４に係止させると、挿通部７５ａの先端７５ｄが開口７２ｂから突出し、ガラス扉７１はガラス扉受け部７２に対して回動自在に保持される。
【００５１】
また、ガラス扉７１のヒンジ装置７０の取り付け側と反対側の内壁面には施錠装置８０が取り付けられている。
【００５２】
図１８に示すように、施錠装置８０は、ガラス扉７１の内壁面（ガラス扉と前面の裏面）に取り付けられた固定部材８１と、この固定部材８１に上下方向に摺動可能に取り付けられた可動部材８２と、ガラス扉受け部７２に設けられた突出片８３とから構成されている。固定部材８１に支持された可動部材８２は、ガラス扉受け部７２の突出片８３に係合し、ガラス扉７１とガラス扉受け部７２とをロック又はロック解除する。
【００５３】
固定部材８１には、ピン８４及びストッパー８５が設けられており、これらを可動部材８２に係止させることによって、固定部材８１に可動部材８２が上下に移動自在に支持されている。また、ガラス扉７０にはバネ８６が取り付けられており、バネ８６の付勢によって可動部材８２が上方向に付勢される。可動部材８２の側面には矩形の切り欠き８７がガラス扉７０側の上下端部の二箇所に形成されている。切り欠き８７の一端部８７ａがストッパー８５に係止すると可動部材８２の移動が規制される。
【００５４】
可動部材８２には、係止片８８がガラス扉受け部７２側の上下端部の二箇所に設けられている。係止片８８には、斜辺８８ａと溝部８８ｂとが形成されている。可動部材８２はバネ８６の弾性復元力によって上方向に付勢されているので、溝部８８ｂが突出片８３と引っ掛かって係止されることで、ガラス扉７１とガラス扉受け部７２とが、ガラス扉７１が開閉不能となるようにロックされた状態になる。
【００５５】
ガラス扉７１の前面で側方の略中央部分には図示しない鍵穴が設けられている。鍵穴の内部には、特に図示しないが、所定の鍵を差し込むと嵌り合う溝を有する解錠用鍵と、解錠用鍵からガラス扉７０の可動部材８２に向かって延びる解錠用シャフト９０が設けられている。解錠用シャフト９０の先端には、突部を有する解錠用カム９１が形成されている。可動部材８２の解錠用カム９１に対応する位置には開口９２が設けられており、開口９２に解錠用カム９１の突部が嵌り込んで係止されている。
【００５６】
ガラス扉７１とガラス扉受け部７２とのロックを解除するときは、鍵穴に所定の鍵を差し込んで所定方向に回転させ、解錠用シャフト９０の先端に設けられた解錠用カム９１を、ガラス扉７０の正面から見て時計回りに回転させる。これにより、解錠用シャフト９０が回転して解錠用カム９１の突部が開口９２の端部に係止し、可動部材８２が解錠用カム９１の突起によって押し下げられる。可動部材８２が押し下げられると、係止片８８の溝部８８ｂから係止片８８が外れて、ガラス扉７１とガラス扉受け部７２とのロックが、ガラス扉７１の開閉が可能になるように解除される。
【００５７】
ガラス扉７１とガラス扉受け部７２とがロックされた状態にするには、開いた状態のガラス扉７１を閉じる方向に変位させると、係止片８８の斜辺８８ａが突出片８３に当接する。斜辺８８ａと突出片８３との当接後、さらに扉を閉じる方向に変位させると、可動部材８２がバネ８６の付勢力に反発して斜辺８８ａの傾斜に沿って徐々に下に下がっていく。そして、突出片８３が斜辺８８ａを乗り越えて溝部８８ｂに嵌り込み、バネ８６の付勢力によって可動部材８２が初期位置に戻ると係止片８８は突出片８３に係止される。
【００５８】
なお、ガラス扉をガラス扉受け部に対して着脱自在とし、ガラス扉受け部に遊技盤を取り付ける場合、遊技領域を画定し、遊技領域に打ち出される遊技媒体を後述する遊技媒体誘導用レール１０１ｂ（ガイド部）によって遊技領域内にガイドする遊技領域画定部材と、遊技盤１００に取り付けられ、制御装置を支持する板状の支持部材を有する制御装置ユニットとで遊技盤を狭持してユニット化することが好ましい。この場合、例えば図１９に示すように、ガラス扉受け部７２に着脱自在に取り付け可能な遊技盤１００の前面に遊技領域画定部材１０１、遊技盤１００の背面に制御装置ユニット１０２を取り付けることにより実現可能となる。遊技盤１００の上下の端縁部で左右対称となる位置に開口１００ａが４箇所に穿設されており、後述する遊技領域画定部材１０１の後面に各開口１００ａと対向するように形成された４個のボス１０１ａが挿通される。
【００５９】
遊技領域画定部材１０１は、発射装置にて遊技領域に向けて打ち出されたパチンコ球を遊技領域内にガイドするための遊技媒体誘導用レール１０１ｂと、遊技領域を画定するためのレール飾り１０１ｃとが一体となるようにした枠状のユニットとして形成されている。レール飾り１０１ｃは枠状に形成されており、遊技領域画定部材１０１が遊技盤１００に取り付けられると、遊技媒体誘導用レール１０１ｂ及びレール飾り１０１ｃの中央の開口と遊技盤１００の盤面とによって遊技領域が画定される。遊技媒体誘導用レール１０１ｂは遊技領域に打ち出されたパチンコ球が遊技領域内の上部にガイドされるように屈曲して形成されている。遊技領域画定部材１０１の開口を取り囲む面はパチンコ球の移動範囲を規制するとともに、遊技領域内のパチンコ球を前述したアウト口にガイドする。遊技領域画定部材１０１の背面には、上端部及び下端部で左右対称となる位置の２箇所にボス１０１ａが形成され、このボス１０１ａにロック用つまみ１０４が回動自在に取り付けられている。なお、ボス１０１ａの個数は、４個に限定する必要はなく、適宜の位置に適宜個数設けてよい。
【００６０】
制御装置ユニット１０２は、遊技媒体誘導部材を有する板状の支持部材１０５、前述したサブ制御基盤１１ａが収納されている収納ケース１０６、メイン制御基盤１１ｂが収納されている収納ケース１０７などから構成され、収納ケース１０６や収納ケース１０７が支持部材１０５に着脱自在に取り付けられている。収納ケース１０６，１０７は支持部材１０５の所定位置に組み付けられている。支持部材１０５の上下端部で左右対称となる位置には４個のボス１０８が設けられている。ボス１０８及び支持部材１０５にはロック用つまみ１０４が挿通可能な矩形状の開口１０８ａが、ロック用つまみ１０４を挿通したときにロック用つまみ１０４の中心と開口１０８ａの中心とが同軸上になるように穿設されている。ボス１０８の開口１０８ａにボス１０１ａのロック用つまみ１０４が挿入されると遊技領域画定部材１０１と制御装置ユニット１０２とが位置決めされる。
【００６１】
遊技領域画定部材１０１及び制御装置ユニット１０２を遊技盤１００に取り付けるには、先ず、遊技領域画定部材１０１のボス１０１ａ及びロック用つまみ１０４を遊技盤１００の開口１００ａに挿通し、遊技領域画定部材１０１を遊技盤１００に係合させる。そして、遊技盤１００の背面に制御装置ユニット１０２を取り付け、ロック用つまみ１０４をボス１０８の開口１０８ａに挿通させて、ボス１０１ａの先端部をボス１０８の内壁に当接させる。これにより、制御装置ユニット１０２が遊技領域画定部材１０１に位置決めされる。そして、ロック用つまみ１０４を回転させ、ロック用つまみ１０４を、その長手方向が開口１０８ａと直交するようにボス１０８の外周に係止させる。
【００６２】
このように、ガラス扉７１をガラス扉受け部７２に対して着脱自在とし、さらに、ガラス扉受け部７２に着脱自在に取り付け可能な遊技盤１００を遊技領域画定部材１０１と制御装置ユニット１０２とで狭持してユニット化したので、これらの各部材を本体ユニットから一度に取り出して、取り出した各部材を分解することによって各部材をリサイクル又は部分的な交換をすることができる。
【図面の簡単な説明】
【００６３】
【図１】本発明を実施したパチンコ機の外観斜視図である。
【図２】ガラス枠を開放した状態を示す斜視図である。
【図３】ガラス枠に遊技盤を取り付ける状態を示す斜視図である。
【図４】遊技盤と一体化されたガラス枠を本体ユニットに取り付ける状態を示す斜視図である。
【図５】遊技盤固定部材が取り付け位置にセットされた状態を示す正面図である。
【図６】遊技盤固定部材が固定位置にセットされた状態を示す正面図である。
【図７】遊技盤と一体化されたガラス枠の本体ユニットへの取り付け時の断面図である。
【図８】遊技盤及びガラス枠を本体ユニットに取り付けた状態を示す断面図である。
【図９】ガラス枠の本体ユニットへの取り付け時の状態を示す斜視図である。
【図１０】本体ユニットに取り付けられたガラス枠への遊技盤の取り付け時の状態を示す斜視図である。
【図１１】本体ユニットに取り付けられたガラス枠への遊技盤の取り付け時の状態を示す断面図である。
【図１２】本体ユニットに取り付けられたガラス枠に遊技盤が取り付けられた状態を示す断面図である。
【図１３】ガラス枠にＲＯＭが取り付けられた状態を示す断面図である。
【図１４】ガラス枠にＲＯＭカセットを取り付ける状態を示す断面図である。
【図１５】ガラス扉をガラス扉受け部から取り外した状態を示す斜視図である。
【図１６】ヒンジ装置の構成を示す斜視図である。
【図１７】ヒンジ装置の構成を示す斜視図である。
【図１８】施錠装置の概略を示す断面図である。
【図１９】遊技領域画定部材と制御装置ユニットとを遊技盤から分離した状態を示す斜視図である。
【符号の説明】
【００６４】
１０  パチンコ機
１１  本体ユニット
１１ａ  サブ制御基盤
１１ｂ  メイン制御基盤
１１ｃ  ガラス枠取付部
１１ｄ  係合突起
１２，１００  遊技盤
１２ａ  メモリ
１２ｂ  遊技媒体誘導用通路
１３，７０  ガラス枠
１３ａ，７１  ガラス扉
１３ｂ，７２  ガラス扉受け部
１３ｄ  遊技盤取付部
１３ｈ  係合突起受け部
２３  ガラス
３０  遊技盤固定部材
３１  ガラス枠固定部材
３０ａ, ３１ａ  係止部
３０ｂ，３０ｂ  軸
３２ａ，３２ｂ  固定部材取付孔
５０  ＲＯＭ５０
５１  ＲＯＭ基盤５１
６０  ＲＯＭカセット
１０１  遊技領域画定部材
１０２  制御装置ユニット
１０５  支持部材
【図１】
2005021650.tif 000003
【図２】
2005021650.tif 000004
【図３】
2005021650.tif 000005
【図４】
2005021650.tif 000006
【図５】
2005021650.tif 000007
【図６】
2005021650.tif 000008
【図７】
2005021650.tif 000009
【図８】
2005021650.tif 000010
【図９】
2005021650.tif 000011
【図１０】
2005021650.tif 000012
【図１１】
2005021650.tif 000013
【図１２】
2005021650.tif 000014
【図１３】
2005021650.tif 000015
【図１４】
2005021650.tif 000016
【図１５】
2005021650.tif 000017
【図１６】
2005021650.tif 000018
【図１７】
2005021650.tif 000019
【図１８】
2005021650.tif 000020
【図１９】
2005021650.tif 000021